(57)【要約】【課題】  低コストでデザインを損ねることなく、車内または室内に侵入した不審者を威嚇し、鮮明な画像を撮影することができるセキュリティ機能付き照明装置を提供する。【解決手段】  車内または室内に設けられた発光手段１１と、前記発光手段１１の発光量及び発光時間を制御する発光制御手段１２と、前記発光手段１１の発光パターンを複数設定して記憶しておく発光パターン記憶手段１３と、前記発光パターン記憶手段１３に記憶されている複数の発光パターンから所定の発光パターンを選択する発光パターン選択手段１４とを備えた構成とする。【選択図】        図１
2005067433.tif 000002
【特許請求の範囲】
【請求項１】
車内または室内に設けられた発光手段と、前記発光手段の発光量及び発光時間を制御する発光制御手段と、前記発光手段の発光パターンを複数設定して記憶しておく発光パターン記憶手段と、前記発光パターン記憶手段に記憶されている複数の発光パターンから所定の発光パターンを選択する発光パターン選択手段とを備えたことを特徴とするセキュリティ機能付き照明装置。
【請求項２】
前記車内または室内を撮影し得るようにされた撮像手段を設け、前記車内または室内に侵入した不審者を撮影し得るようにしたことを特徴とする請求項１記載のセキュリティ機能付き照明装置。
【請求項３】
前記発光手段は、可視光の発光手段と、赤外光の発光手段とを有し、前記撮像手段は、前記赤外光の発光手段の発光時に車内または室内を撮影するようにしたことを特徴とする請求項２記載のセキュリティ機能付き照明装置。
【請求項４】
前記発光パターン記憶手段に記憶されている発光パターンは、低輝度で連続発光するパターンを含むことを特徴とする請求項１〜請求項３のいずれか１項記載のセキュリティ機能付き照明装置。
【請求項５】
前記発光パターン記憶手段に記憶されている発光パターンは、高輝度で発光し、前記車内または室内に侵入した不審者を含む人体を威嚇し得るパターンを含むことを特徴とする請求項１または請求項２記載のセキュリティ機能付き照明装置。
【請求項６】
前記発光パターン記憶手段に記憶されている発光パターンは、低輝度または高輝度で点滅発光するパターンを含むことを特徴とする請求項１または請求項２記載のセキュリティ機能付き照明装置。
【請求項７】
車または室に設けられたドアの開閉状態判定手段を設け、前記ドアの開放時に前記発光パターン選択手段が低輝度連続発光パターンを選択するようにしたことを特徴とする請求項４記載のセキュリティ機能付き照明装置。
【請求項８】
前記車内または室内への不審者を含む人体の侵入を検知する侵入検知手段を設け、前記侵入検知手段の動作時に前記発光パターン選択手段が高輝度発光パターンを選択するようにしたことを特徴とする請求項５記載のセキュリティ機能付き照明装置。
【請求項９】
前記車内または室内への不審者を含む人体の侵入に対する警戒モードを設定する警戒モード設定手段を設け、警戒モードの変更時に前記発光パターン選択手段が点滅発光パターンを選択するようにしたことを特徴とする請求項６記載のセキュリティ機能付き照明装置。
【請求項１０】
前記車内または室内への不審者を含む人体の侵入に対する警戒モードを設定する警戒モード設定手段を設け、警戒モードの設定時に前記発光パターン選択手段が点滅発光パターンを選択するようにしたことを特徴とする請求項６記載のセキュリティ機能付き照明装置。
【請求項１１】
前記発光パターン選択手段は、通信手段を介して外部から与えられる命令により、所定の発光パターンを選択し得るようにしたことを特徴とする請求項１〜請求項６のいずれか１項記載のセキュリティ機能付き照明装置。
【請求項１２】
前記発光制御手段は、前記発光手段をパルス発光させ、その波形を変化させることにより、発光輝度を変化させるようにしたことを特徴とする請求項１〜請求項１１のいずれか１項記載のセキュリティ機能付き照明装置。
【請求項１３】
前記発光手段は、発光ダイオード（ＬＥＤ）であることを特徴とする請求項１〜請求項１２のいずれか１項記載のセキュリティ機能付き照明装置。
【発明の詳細な説明】
【技術分野】
【０００１】
この発明は、セキュリティ機能付き照明装置、特に車内や室内に設けられ、不審者の侵入に対処し得るようにしたルームランプやマップランプ等の照明装置に関するものである。
【背景技術】
【０００２】
従来の照明装置におけるセキュリティ機能は、警戒中に異常が検出されると、車内あるいは室内の照明装置とは別に設置されたストロボ照明を発光させて車内あるいは室内に侵入した不審者を威嚇するようにしていた。
また、マップランプを構成する車内あるいは室内照明用のランプと、その近傍に設けられた焦電センサとを隔壁によって隔て、焦電センサからの出力パルスにもとづいて車内あるいは室内に侵入した不審者を含む人体を検出するようにしたものもある。
このような方式によれば、余分なスペースを必要とせず、車内あるいは室内全体を監視することができる。（例えば特許文献１参照）。
【０００３】
更に、車内あるいは室内にカメラ等の監視手段を設けると共に、ドアロックスイッチの開閉とルームランプの点滅とを連動させ、ドアロックスイッチの開閉状態から不審者の侵入状態と判断した時は、ルームランプを点灯状態にしてカメラ撮影を行なうようにしていた。（例えば特許文献２参照）。
【０００４】
【特許文献１】特開２００２−３７０３０号公報（段落００１３−００１５、図１、図２）
【特許文献２】特開２００２−１５７６５５号公報（段落００１３−００２１、図１、図２）
【発明の開示】
【発明が解決しようとする課題】
【０００５】
特許文献１に開示された従来の照明装置においては、照明用ランプの近傍に、これとは隔壁によって隔てられた焦電センサを設けることにより、デザインを損ねることなく、不審者を検出することができるが、不審者を威嚇するなどの手段を持たないため、威嚇のためには外部のホーンやヘッドランプを用いて警報を発する必要があるという問題点があった。
【０００６】
また、特許文献２に開示された従来の照明装置においては、夜間など周囲が暗い状況では、通常のルームランプを点灯しただけでは十分な明るさが得られないため、小型の撮像手段では鮮明な画像が撮影できないという問題点があった。また、特許文献１と同様、不審者を威嚇するなどの手段を持たないため、その目的のためには、外部のホーンやヘッドランプなどを用いて警報を発する必要があった。
しかし、不審者を威嚇するために、照明などの警報手段を別途設置すると、価格上の問題に加えてデザインを損ねるという問題点もあった。
【０００７】
この発明は、上記のような問題点を解決するためになされたもので、デザインを損ねることなく低価格で、ルームランプ機能のほかに、不審者を威嚇する機能や、暗闇でも鮮明な画像を撮影することができるセキュリティ機能付き照明装置を提供することを目的とする。
【課題を解決するための手段】
【０００８】
この発明に係るセキュリティ機能付き照明装置は、車内または室内に設けられた発光手段と、前記発光手段の発光量及び発光時間を制御する発光制御手段と、前記発光手段の発光パターンを複数設定して記憶しておく発光パターン記憶手段と、前記発光パターン記憶手段に記憶されている複数の発光パターンから所定の発光パターンを選択する発光パターン選択手段とを備えたものである。
【発明の効果】
【０００９】
この発明に係るセキュリティ機能付き照明装置は以上のように構成されているため、複数機能の照明装置を、デザインを全く損ねることなく、安価に実現することができる。
【発明を実施するための最良の形態】
【００１０】
実施の形態１．
以下、この発明の実施の形態１を図にもとづいて説明する。図１は、実施の形態１の構成を示すブロック図である。この図において、照明装置１は車や部屋の天井に設置されるもので、発光手段１１と、発光手段１１の発光量と発光時間を制御する発光制御手段１２と、発光手段１１の発光の仕方のパターン、例えば警戒中でない時に車や部屋のドアが開いた際には通常のルームランプとして機能させる発光パターンや、警戒中にドアが開いた際にはストロボライトとして機能させる発光パターンなど、複数の発光パターンを設定して記憶しておく発光パターン記憶手段１３と、ＣＰＵ等からなり、発光パターン記憶手段１３に記憶されている複数の発光パターンから所定の発光パターンを選択する発光パターン選択手段１４とから構成されている。
【００１１】
また、車や部屋のドアが開いているか否かを検出し、ドアの開放時に所定の信号を発光パターン選択手段１４に伝達するドア開スイッチ２と、警戒のレベル、即ち警戒中であるか否かを検出し、警戒時に信号を発する警戒モード設定手段３とが設けられている。
【００１２】
図２は、図１に示した照明装置１に、ルームランプ機能と不審者威嚇用のストロボライト機能を持たせた場合の詳細構成を示すブロック図である。
この図において、図１と同一または相当部分にはそれぞれ同一符号を付している。
なお、発光手段１１はストロボライト機能を実現するために、最高輝度の明るい高輝度ＬＥＤ（発光ダイオード）が使用されると共に、発光制御手段１２をシフトレジスタ１２Ａと、このシフトレジスタ１２Ａからの信号を増幅するトランジスタ１２Ｂとから構成し、そのうちのシフトレジスタ１２Ａと発光パターン記憶手段１３と、発光パターン選択手段１４とをマイコン１５で構成し、発光パターン記憶手段１３から読み出された発光パターンをシフトレジスタ１２Ａによって順に出力するようにされている。
【００１３】
なお、発光手段１１はＬＥＤの代わりに電球や他の発光手段を使用することも可能であり、シフトレジスタ１２Ａはソフトウェアまたはマイコン内蔵の周辺機器等によって実現することもできる。また、トランジスタ１２ＢはＦＥＴや他の増幅手段を用いて構成することもできる。更に、警戒モード設定手段３は、例えば車または部屋のドアロックシステムに接続され、ドアの施錠に応答して警戒モード信号を発するようにされている。
【００１４】
また、ランプの点灯状態をON、OFF、AUTOの３つの状態に切り替え設定できるランプスイッチ２０を設け、点灯状態に応じた信号を発光パターン選択手段１４に伝達すると共に、車または部屋の内外の物体までの距離を計測し、その距離情報を発光パターン選択手段１４に伝達する電波センサ２１と、窓ガラスの振動や車のボディの振動を検出してそれに応じた信号を発光パターン選択手段１４に伝達し、前記電波センサ２１等と共に不審者の検知装置を構成する振動センサ２２とが設けられている。なお、電波センサ２１及び振動センサ２２は、図２に示すように、照明装置１内に設けるようにしてもよいが、必要に応じて外部に設けてもよい。また、赤外線センサなどの別のセンサを用いてもよい。
【００１５】
次に、この実施の形態による発光パターンの選択動作を図３に示すフローチャートを用いて説明する。
先ず、ステップＳ１において、警戒モード設定手段３からの信号により、警戒中かどうかを判別する。警戒中でなければステップS２に進み、警戒中であればステップS４に進む。ステップS２ではランプスイッチ２０の状態を判別し、AUTOであればステップS３へ、ONであればステップS６へ、OFFであればステップS5へ進む。
【００１６】
ステップS３では、ドア開スイッチ２からの信号を受けて、ドアが開いているかどうかを判別する。ドアが開いているならば、ステップS６に進み、発光パターン１が選択され、例えばルームランプを低輝度で連続発光させる点灯が行なわれる。ドアが開いていなければステップS５に進み、発光なしパターンを選択する。発光なしパターンは消灯であり、待機中はこのパターンが選択される。
【００１７】
ステップＳ１で警戒中の場合は、ステップS４で電波センサ２１からの距離情報、及び振動センサ２２からの振動情報の有無にもとづいて不審者がいるかどうかを検出する。
ここで不審者が検出されると、ステップS７に進み、発光パターン２が選択され、フラッシュライトが高輝度で点滅して不審者を威嚇し、犯罪を未然に防ぐ。
また、不審者が検出されない場合は、ステップＳ８で発光パターン３が選択され、ＬＥＤが点滅発光して警戒中であることを示す。点滅発光すれば、警戒中であることが不審者にも分かるので、犯罪を未然に防止する効果がある。
【００１８】
図４は、発光パターン記憶手段１３に記憶された各発光パターンにおけるＬＥＤの点滅状況を具体的に示すもので、縦軸は発光輝度を示し、横軸は時間を示す。
図中、（ａ）は図３で示した発光パターン１を示すもので、ルームランプ機能を実現するためのパターンであり、所定輝度の発光パルスが一定時間間隔で連続する。
明るさは、PWM（Pulse Width Modulation）により任意に設定することができる。
例えば発光手段の最大明るさの１／10に設定する場合には、ON時間／OFF時間＝１／10とすればよい。
【００１９】
（ｂ）は図３で示した発光パターン２を示すもので、ストロボライト機能を実現するためのパターンであり、最大明るさで例えば５０ms点灯させ、その後１秒間OFFとするように設定する。（ｃ）は発光パターン３を示すもので、点滅発光のパターンであり、低輝度で点滅させるように設定する。（ｄ）は発光なしパターンで、消灯するためのパターンであり、常時OFFに設定する。
【００２０】
実施の形態１は以上のように構成され、ルームランプの機能としては、常時低輝度で点灯する発光パターン１としたが、例えばドアが閉じたときには徐々に暗くなっていく発光パターンとするなど、他の発光パターンを設定してもよい。
また、ストロボライトの機能は、不審者が検出されたときの威嚇用として発光パターン２としたが、発光回数は必要に応じて複数回繰り返すようにしてもよい。
また、点滅発光パターンである発光パターン３は警戒中を示すものとしたが、キーレスエントリなどにより警戒モードが変更された時に、操作が確実になされたか否かを確認するために用いるようにしてもよい。また、この照明装置は天井に設置するものとしたが、足元など、別の場所に設置しても同様な効果を期待することができる。その場合は、ルームランプとしてではなく、フットランプやマップランプなどとして使用することができる。
なお、発光手段としてＬＥＤを使用しているため、さまざまな発光パターンを容易に実現することができ、信頼性が高く、小型に構成することができるものである。
【００２１】
このような構成とすることにより、１種類の発光手段を用いて、ルームランプやマップランプのデザインを全く損ねることなく、低コストでセキュリティ機能を持たせることができる。
【００２２】
実施の形態２．
次に、この発明の実施の形態２を図にもとづいて説明する。図５は、実施の形態２の構成を示すブロック図である。この図において図１と同一または相当部分にはそれぞれ同一符号を付して説明を省略する。図１と異なる点は、照明装置１に発光パターン選択手段１４からの信号を受けて車内または室内を撮影する撮像手段１６を設けた点である。
この実施の形態においては、不審者が検出されると、ストロボライトを発光する発光パターン２を選択すると同時に、撮像手段１６のシャッターを切ることで、車内または室内の鮮明な画像を撮影するフラッシュ撮影の機能が実現できる。
【００２３】
発光手段１１はルームランプ機能を実現するために可視光の高輝度LED等を用いているが、同時に赤外光のLEDを備えてもよい。赤外光LEDを撮影と同時に点灯すれば、暗闇でも不審者に気づかれることなく撮影することができ、暗視カメラ機能を実現することができる。
【００２４】
図６は、発光手段１１として可視光LED１１Ａと赤外光LED１１Ｂの両方を備えた構成を具体的に示したものである。
この図において１２Ｂ、１２Ｃはトランジスタで、シフトレジスタ１２Ａから出力された発光パターン信号を増幅する。１６撮像手段としてのカメラである。
シフトレジスタ１２Ａは、発光パターン記憶手段１３から読み出された発光パターンを順に出力していくという点では図２のものと同様であるが、可視光LED１１Ａ用、赤外光LED１１Ｂ用、カメラ１６用と、複数の信号を同時に出力するようにされている点で図２のものと異なる。同様に、発光パターン記憶手段１３に記憶されている各発光パターン２１〜２５は後述するように、それぞれ複数の信号が記憶されている。その他の構成については、図２と同様である。
【００２５】
次に、実施の形態２の動作について説明する。発光パターン選択手段１４によって、警戒モード設定手段３からの警戒モード、ランプスイッチ２０からの設定状態、電波センサ２１と振動センサ２２から得られた不審者の有無と、ドア開スイッチ２からのドア開状態から、状況に応じた発光パターンが選択されることは実施の形態１と同様である。
【００２６】
ここで、発光パターン記憶手段１３に記憶されている複数の発光パターンについて、図７を用いて更に詳しく説明する。（ａ）は発光パターン２１でルームランプ機能実現用のパターンを示しており、可視光LED１１Ａ用、赤外光LED１１Ｂ用、カメラ１６のシャッター用のパターンが含まれているが、可視光LED１１Ａのみを低輝度で常時、発光させている。（ｂ）は発光パターン２２で、フラッシュ撮影機能実現用のパターンを示しており、可視光LED１１Ａを高輝度で発光させると同時にカメラ１６のシャッターを動作させるように設定されている。
【００２７】
（ｃ）は発光パターン２３で、暗視カメラ機能実現用のパターンを示しており、赤外光LED１１Ｂを発光させると同時に、カメラ１６のシャッターを動作させるように設定されている。（ｄ）は発光パターン２４で、暗視カメラとルームランプの両方の機能を組み合わせた形で実現するためのパターンを示しており、可視光LED１１Ａを低輝度で連続点灯させつつ、赤外光LED１１Ｂの点灯とカメラ１６のシャッターの動作を同時に行なうように設定されている。（ｅ）は発光パターン２５で、消灯のパターンを示しており、いずれのLEDも発光させず、また、カメラ１６のシャッターも動作させないように設定されている。
【００２８】
図８は、マイコン１５内のＣＰＵで実行されるパターン選択機能を説明するためのフローチャートである。
ステップS１１では警戒モード設定手段３からの信号により、警戒中か否かを判断する。警戒中であればステップS１２に進み、警戒中でなければ発光パターン選択表S１４に進む。ステップS１２では電波センサ２１からの距離情報と振動センサ２２からの振動情報から不審者が検出されれば、ステップS１３へ、検出されなければ発光パターン選択表S１４に進む。ステップS１３では発光パターン２２が選択され、フラッシュ撮影がなされる。
【００２９】
発光パターン選択表S１４ではランプスイッチ２０の設定状態とドア開スイッチ２のドア状態の信号とから、発光パターン２１、２３、２４、２５のいずれかが選択される。
即ち、ドアが閉じている場合は、ランプスイッチ２０がOFFまたはAUTOのとき発光パターン２５の消灯機能が選択され、ONの時は発光パターン２１のルームランプ機能が選択される。また、ドアが開いている場合は、ランプスイッチ２０がOFFのときは発光パターン２３の暗視カメラ機能が選択され、AUTOまたはONの時は発光パターン２４の暗視カメラ＋ルームランプ機能が選択される。
【００３０】
以上の構成・動作により、通常のルームランプ機能に加えて、監視中に不審者が検出されるとフラッシュ撮影により不審者を威嚇すると同時に鮮明な画像を撮影することができる。また、監視中でなくても、ドアが開いたときには暗視カメラ機能により撮影することで、異常が分かったときに状況を確認することが可能となる。
【００３１】
なお、図９にブロック図で示すように、図５で示した実施の形態２の照明装置1の外部に、電話などの通信手段４を設けると共に、照明装置１内に閲覧画面作成手段１７を設け、通信手段４によって外部から照明装置1にアクセスすることにより、発光パターン選択手段１４を遠隔操作して任意の発光パターンを選択することが可能となる。
また、撮像手段１６で撮影された映像は、閲覧画面作成手段１７により、閲覧画面として作成され、携帯電話やパソコンなどの端末装置から通信手段４を通じて閲覧することが可能となる。従って、部屋や車の所有者が閲覧した画像をみて、更に発光パターンを変更するなどといった操作も可能となる。
【図面の簡単な説明】
【００３２】
【図１】この発明の実施の形態１の構成を示すブロック図である。
【図２】実施の形態１の具体的な構成を示すブロック図である。
【図３】実施の形態１における発光パターンの選択動作を示すフローチャートである。
【図４】実施の形態１における各発光パターンでの発光手段の点滅状況を示す図である。
【図５】この発明の実施の形態２の構成を示すブロック図である。
【図６】実施の形態２の具体的な構成を示すブロック図である。
【図７】実施の形態２における各発光パターンでの発光手段及びカメラの動作状況を示す図である。
【図８】実施の形態２における発光パターンの選択動作を示すフローチャートである。
【図９】この発明の実施の形態２の別の実施例の構成を示すブロック図である。
【符号の説明】
【００３３】
１  照明装置、  ２  ドア開スイッチ、  ３  警戒モード設定手段、  ４  通信手段、
１１  発光手段、  １２  発光制御手段、  １３  発光パターン記憶手段、  １４  発光パターン選択手段、  １５  マイコン、  １６  撮像手段、  １７  閲覧画面作成手段。
【図１】
2005067433.tif 000003
【図２】
2005067433.tif 000004
【図３】
2005067433.tif 000005
【図４】
2005067433.tif 000006
【図５】
2005067433.tif 000007
【図６】
2005067433.tif 000008
【図７】
2005067433.tif 000009
【図８】
2005067433.tif 000010
【図９】
2005067433.tif 000011